(57)【特許請求の範囲】
【請求項１】
端末装置が信号を測定する方法であって、
前記端末装置が接続しているサービング基地局装置である第１の基地局装置は、
前記端末装置が信号を測定する対象周波数と、前記第１の基地局装置におけるブランクキャリアの周波数と、が重複するか否かを判定する判定処理と、
前記端末装置が信号を測定する対象周波数と、前記第１の基地局装置におけるブランクキャリアの周波数と、が重複しない場合には、前記端末装置が信号を測定する対象周波数と、前記第１の基地局装置におけるブランクキャリアの周波数と、が重複する状態を得るための状態変更処理と、
を実行し、
前記端末装置は、前記端末装置が信号を測定する対象周波数と、前記第１の基地局装置におけるブランクキャリアの周波数と、が重複する状態の下で、第２の基地局装置から送信された信号を測定する
方法。
【請求項２】
前記判定処理は、前記第２の基地局装置におけるプライマリーコンポーネントキャリアの周波数と、前記第１の基地局装置におけるブランクキャリアの周波数と、が重複しているか否かを判定することで実行され、
前記状態変更処理は、前記第２の基地局装置におけるプライマリーコンポーネントキャリアの周波数と、前記第１の基地局装置におけるブランクキャリアの周波数と、が重複しない場合に実行される
請求項１記載の方法。
【請求項３】
前記状態変更処理は、前記端末装置が信号を測定する対象周波数を、前記第２の基地局装置における１又は複数のセカンダリーコンポーネントキャリアの周波数にさせるための指令を前記端末装置に送信する処理を含む
請求項２記載の方法。
【請求項４】
前記端末装置は、前記指令に基づいて、複数のセカンダリーコンポーネントキャリアの周波数を対象周波数として、前記第２の基地局装置から送信された信号の測定を行う際に、前記対象周波数のうち、前記第１の基地局装置におけるブランクキャリアの周波数を優先して測定する
請求項３記載の方法。
【請求項５】
前記状態変更処理は、前記第２の基地局装置に対して、プライマリーコンポーネントキャリアの周波数の変更要求を、前記第２の基地局装置に送信する処理を含む
請求項２に記載の方法。
【請求項６】
前記第２の基地局装置は、前記変更要求に従ってプライマリーコンポーネントキャリアの周波数を変更することができない場合には、変更不可通知を、前記第１の基地局装置に送信する
請求項５記載の方法。
【請求項７】
前記第２の基地局装置は、前記変更要求に従ってプライマリーコンポーネントキャリアの周波数を変更することができるか否かの判定を、第３の基地局装置におけるブランクキャリアの周波数に基づいて行い、前記変更要求に従ってプライマリーコンポーネントキャリアの周波数を変更することができないと判定された場合に、前記変更不可通知を、前記第１の基地局装置に送信する
請求項６記載の方法。
【請求項８】
前記状態変更処理は、前記第１の基地局装置が前記変更不可通知を受信した場合には、前記端末装置が信号を測定する対象周波数を、前記第２の基地局装置における１又は複数のセカンダリーコンポーネントキャリアの周波数にさせるための指令を前記端末装置に送信する処理を含む
請求項６又は７記載の方法。
【請求項９】
前記状態変更処理は、前記第２の基地局装置におけるプライマリーコンポーネントキャリアの周波数と、前記第１の基地局装置におけるブランクキャリアの周波数と、が重複するように、前記第１の基地局装置におけるブランクキャリアの周波数を変更する処理を含む
請求項２記載の方法。
【請求項１０】
前記状態変更処理は、前記第１の基地局装置が前記変更不可通知を受信した場合には、前記第２の基地局装置におけるプライマリーコンポーネントキャリアの周波数と、前記第１の基地局装置におけるブランクキャリアの周波数と、が重複するように、前記第１の基地局装置におけるブランクキャリアの周波数を変更する処理を含む
請求項６又は７記載の方法。
【請求項１１】
前記第２の基地局装置は、前記第１の基地局装置が形成するセルよりも小さいセルを形成する小型基地局装置である
請求項１〜１０のいずれか１項に記載の方法。
【請求項１２】
端末装置との間で通信を行う基地局装置であって、
端末装置が信号を測定する対象周波数と、自装置におけるブランクキャリアの周波数と、が重複するか否かを判定する判定処理部と、
前記端末装置が信号を測定する対象周波数と、自装置におけるブランクキャリアの周波数と、が重複しない場合には、前記端末装置が信号を測定する対象周波数と、自装置におけるブランクキャリアの周波数と、が重複する状態を得るための状態変更処理部と、
を備えた基地局装置。
【発明の詳細な説明】
【技術分野】
【０００１】
本発明は、信号を測定する方法、端末装置、及び基地局装置に関する。
【背景技術】
【０００２】
従来、移動通信システムでは、半径数百メートルから数十キロメートルのセル（マクロセル）を形成する基地局装置（マクロ基地局装置）による無線通信サービスが提供されてきた。
近年、ＬＴＥ（Long Term Evolution）の導入に伴い、データ通信トラヒックが劇的に増加することが予想されている。そこで、マクロセルと比較してセル半径の小さいセル（ピコセルなど）を形成する小型基地局装置を、マクロセル圏内に配置することが検討されている（非特許文献１参照）。
多量のデータ通信を行う端末装置をマクロセルからピコセルへ移動させて、ピコセルから通信させることで、増加するトラフィックに対応することができる。
【０００３】
また、より多くの端末装置をピコセル内に収容するために、ピコセルを形成する基地局装置（ピコ基地局装置）が、ピコセルを拡張する処理（セル範囲拡張；Cell Range Expansion；ＣＲＥ)を行うことが検討されている。セル範囲拡張の処理が行われると、ピコ基地局装置からの電波が多少弱くても、端末装置は、ピコ基地局装置に接続することが可能となる。
【０００４】
しかし、ピコセルのセルエッジに存在する端末装置は、ピコセルを形成する基地局装置に接続していても、マクロセルを形成する基地局装置から送信される信号の電力の方が大きくなり、干渉を受け易い。
【０００５】
そこで、干渉回避のため、マクロ基地局装置は、使用可能な周波数範囲のうち、一部の周波数ブロックを、マクロセルにおいて使用しないブランクキャリアとしておくことが検討されている。
ピコ基地局装置が、マクロ基地局装置におけるブランクキャリアに対応する周波数ブロック（コンポーネントキャリア）を、ピコセルにおける通信に使用することで、ピコ基地局装置に接続した端末装置は、マクロ基地局装置からの干渉を回避することができる。
【０００６】
ここで、ブランクキャリアは、前述のように、基地局装置が通信に使用可能なコンポーネントキャリア（周波数ブロック）のうち、通信に使用しないコンポーネントキャリアである。
【０００７】
基地局装置は、基地局装置が通信に使用可能な複数のコンポーネントキャリア（周波数ブロック）のうち、一つのプライマリーコンポーネントキャリア（Primary Component Carrier）を選択するとともに、必要に応じて付加的に通信に使用する１又は複数のコンポーネントキャリアであるセカンダリーコンポーネントキャリア（Secondary Component Carrier）を使用する。
基地局装置と端末装置との間の通信は、基本的には、プライマリーコンポーネントキャリアを用いて行われる。ただし、端末装置がセカンダリーコンポーネントキャリアを使用可能であれば、付加的にセカンダリーコンポーネントキャリアを用いた通信も行われる。
【０００８】
複数のコンポーネントキャリアのうち、プライマリーコンポーネントキャリア及びセカンダリーコンポーネントキャリアのいずれとしても選択されなかった１又は複数のコンポーネントキャリアが、ブランクキャリアとなる。
【先行技術文献】
【非特許文献】
【０００９】
【非特許文献１】3GPP, "TS36.104 V10.0.0 Base Station(BS) radio transmission and reception", 2010-09
【発明の概要】
【発明が解決しようとする課題】
【００１０】
端末装置は、マクロセル内に在圏している間において、マクロ基地局装置以外の他の基地局装置から送信された信号の通信品質を測定する。端末装置は、測定結果に基づき、接続対象である基地局装置（サービング基地局装置）を、マクロ基地局装置から他の基地局装置に変更する処理であるハンドオーバを行うことがある。
【００１１】
しかし、端末装置による信号の測定の際に、前述のようなブランクキャリアを考慮することは、未だ提案されていない。
そこで、本発明は、端末装置による信号測定に関して、ブランクキャリアを考慮した新規な技術的手段を提供することを目的とする。
【課題を解決するための手段】
【００１２】
（１）一の観点からみた本発明は、端末装置が信号を測定する方法であって、前記端末装置は、前記端末装置が接続しているサービング基地局装置である第１の基地局装置が通信に使用していないブランクキャリアを識別可能な情報を、前記第１の基地局装置から受信し、前記端末装置は、受信した前記情報に基づいて識別されたブランクキャリアの周波数を対象周波数として、第２の基地局装置から送信された信号を測定する方法である。
【００１３】
上記本発明によれば、第２の基地局装置から送信された信号の測定は、第１の基地局装置のブランクキャリアの周波数を対象周波数として行われる。ブランクキャリアは、干渉を与えないため、干渉を回避しつつ、信号を測定することができる。
【００１４】
（２）前記端末装置は、ハンドオーバによって前記第２の基地局装置が新たなサービング基地局装置になった後は、前記第２の基地局装置が使用可能なキャリアのうち、前記第１の基地局装置が通信に使用していない前記ブランクキャリア以外のキャリアの周波数を対象周波数として、前記第１の基地局装置から送信された信号を測定することができる。ハンドオーバ後は、第１の基地局装置が通信に使用していないブランクキャリア以外のキャリアの周波数を対象周波数とすることで、第１の基地局装置が通信に使用している周波数での測定を行える。
【００１５】
（３）他の観点からみた本発明は、端末装置が信号を測定する方法であって、前記端末装置が接続しているサービング基地局装置である第１の基地局装置は、前記端末装置が信号を測定する対象周波数と、前記第１の基地局装置におけるブランクキャリアの周波数と、が重複するか否かを判定する判定処理と、前記端末装置が信号を測定する対象周波数と、前記第１の基地局装置におけるブランクキャリアの周波数と、が重複しない場合には、前記端末装置が信号を測定する対象周波数と、前記第１の基地局装置におけるブランクキャリアの周波数と、が重複する状態を得るための状態変更処理と、を実行し、前記端末装置は、前記端末装置が信号を測定する対象周波数と、前記第１の基地局装置におけるブランクキャリアの周波数と、が重複する状態の下で、第２の基地局装置から送信された信号を測定する方法である。
【００１６】
上記本発明によれば、端末装置が信号を測定する対象周波数と、前記第１の基地局装置におけるブランクキャリアの周波数と、が重複しない場合であっても、状態変更処理によって、重複した状態が得られる。ブランクキャリアは、干渉を与えないため、干渉を回避しつつ、信号を測定することができる。
【００１７】
（４）前記判定処理は、前記第２の基地局装置におけるプライマリーコンポーネントキャリアの周波数と、前記第１の基地局装置におけるブランクキャリアの周波数と、が重複しているか否かを判定することで実行され、前記状態変更処理は、前記第２の基地局装置におけるプライマリーコンポーネントキャリアの周波数と、前記第１の基地局装置におけるブランクキャリアの周波数と、が重複しない場合に実行されるのが好ましい。
この場合、前記端末装置が信号を測定する対象周波数と、前記第１の基地局装置におけるブランクキャリアの周波数と、が重複するか否かの前記判定処理は、前記第２の基地局装置におけるプライマリーコンポーネントキャリアの周波数と、前記第１の基地局装置におけるブランクキャリアの周波数と、が重複しているか否かを判定することで実行される。つまり、前記第２の基地局装置におけるプライマリーコンポーネントキャリアの周波数が、前記端末装置が信号を測定する対象周波数となっている。
【００１８】
（５）前記状態変更処理は、前記端末装置が信号を測定する対象周波数を、前記第２の基地局装置における１又は複数のセカンダリーコンポーネントキャリアの周波数にさせるための指令を前記端末装置に送信する処理を含むことができる。
【００１９】
（６）前記端末装置は、前記指令に基づいて、複数のセカンダリーコンポーネントキャリアの周波数を対象周波数として、前記第２の基地局装置から送信された信号の測定を行う際に、前記対象周波数のうち、前記第１の基地局装置におけるブランクキャリアの周波数を優先して測定するのが好ましい。
【００２０】
（７）前記状態変更処理は、前記第２の基地局装置に対して、プライマリーコンポーネントキャリアの周波数の変更要求を、前記第２の基地局装置に送信する処理を含むことができる。
【００２１】
（８）前記第２の基地局装置は、前記変更要求に従ってプライマリーコンポーネントキャリアの周波数を変更することができない場合には、変更不可通知を、前記第１の基地局装置に送信するのが好ましい。
【００２２】
（９）前記第２の基地局装置は、前記変更要求に従ってプライマリーコンポーネントキャリアの周波数を変更することができるか否かの判定を、第３の基地局装置におけるブランクキャリアの周波数に基づいて行い、前記変更要求に従ってプライマリーコンポーネントキャリアの周波数を変更することができないと判定された場合に、前記変更不可通知を、前記第１の基地局装置に送信するのが好ましい。
【００２３】
（１０）前記状態変更処理は、前記第１の基地局装置が前記変更不可通知を受信した場合には、前記端末装置が信号を測定する対象周波数を、前記第２の基地局装置における１又は複数のセカンダリーコンポーネントキャリアの周波数にさせるための指令を前記端末装置に送信する処理を含むことができる。
【００２４】
（１１）前記状態変更処理は、前記第２の基地局装置におけるプライマリーコンポーネントキャリアの周波数と、前記第１の基地局装置におけるブランクキャリアの周波数と、が重複するように、前記第１の基地局装置におけるブランクキャリアの周波数を変更する処理を含むことができる。
【００２５】
（１２）前記状態変更処理は、前記第１の基地局装置が前記変更不可通知を受信した場合には、前記第２の基地局装置におけるプライマリーコンポーネントキャリアの周波数と、前記第１の基地局装置におけるブランクキャリアの周波数と、が重複するように、前記第１の基地局装置におけるブランクキャリアの周波数を変更する処理を含むことができる。
【００２６】
（１３）前記第２の基地局装置は、前記第１の基地局装置が形成するセルよりも小さいセルを形成する小型基地局装置であるのが好ましい。
【００２７】
（１４）他の観点からみた本発明は、基地局装置との間で通信を行う端末装置であって、サービング基地局装置である第１の基地局装置が通信に使用していないブランクキャリアを識別可能な情報を、前記第１の基地局装置から受信する手段と、受信した前記情報に基づいて識別されたブランクキャリアの周波数を対象周波数として、第２の基地局装置から送信された信号を測定する手段と、を備えた端末装置である。
【００２８】
（１５）端末装置との間で通信を行う基地局装置であって、端末装置が信号を測定する対象周波数と、自装置におけるブランクキャリアの周波数と、が重複するか否かを判定する判定処理部と、前記端末装置が信号を測定する対象周波数と、自装置におけるブランクキャリアの周波数と、が重複しない場合には、前記端末装置が信号を測定する対象周波数と、自装置におけるブランクキャリアの周波数と、が重複する状態を得るための状態変更処理部と、を備えた基地局装置である。
【００２９】
（１６）他の観点からみた本発明は、前記（１４）に記載の端末装置と、前記（１５）に記載の基地局装置と、を含む通信システムである。
【発明の効果】
【００３０】
本発明によれば、端末装置は、サービング基地局装置のブランクキャリアにて信号を測定することが可能となる。
【図面の簡単な説明】
【００３１】
【図１】通信システムの構成図である。
【図２】信号測定のための処理手順を示すフローチャートである。
【図３】ハンドオーバ後の信号測定対象を示す図である。
【図４】第２実施形態に係る通信システムの構成図である。
【図５】信号測定のための処理手順を示すフローチャート（前半）である。
【図６】信号測定のための処理手順を示すフローチャート（後半）である。
【図７】ネイバーセルリストを示す図である。
【図８】信号測定のための処理手順を示すフローチャート（後半）の変形例である。
【発明を実施するための形態】
【００３２】
［１．第１実施形態］
図１〜図３は、第１実施形態に係る通信システムを示している。この通信システムは、複数の基地局装置（ＢＳ；Base Station）１（１ａ，１ｂ）を備えたセル方式のシステムである。本実施形態の無線通信システムは、例えば、ＬＴＥが適用される携帯電話用のシステムであり、各基地局装置１と、端末装置（ＵＥ；User Equipment）２との間において、ＬＴＥに準拠した通信が行われる。ただし、通信方式は、ＬＴＥに限られるものではない。
【００３３】
通信システムを構成する複数の基地局装置１には、例えば、数キロメートルの大きさの通信エリア（マクロセル）ＭＣを形成するマクロ基地局装置（Macro Base Station; MBS）１ａのほか、マクロセルＭＣよりも小さいピコセルＰＣを形成するピコ基地局装置(Pico Base Station; PBS)１ｂが、含まれている。
以下では、マクロ基地局装置をマクロＢＳ、ピコ基地局装置をピコＢＳというものとする。
【００３４】
図１に示すように、ピコＢＳ１ｂは、マクロセル内に１又は複数設置される。マクロセルＭＣ内の端末装置を、マクロＢＳ１ａではなく、ピコＢＳ１ｂに優先的に接続させることで、マクロＢＳ１ａの通信負荷を軽減させることができ、システム全体のスループットを向上させることができる。また、ピコＢＳ１ｂは、セル範囲拡張（ＣＲＥ）を行うことで、より多くの端末装置を、ピコＢＳ１ｂに接続させることができる。すなわち、端末装置は、ピコＢＳ１ｂから送信された信号の電力については、実際の受信電力の大きさに、所定値を加えることで、実際の受信電力の大きさよりも大きいものとみなす。これにより、端末装置は、優先度の高いピコＢＳ１ｂの方に優先的に接続することになる。
【００３５】
なお、マクロＢＳ１ａ及びピコＢＳ１ｂなどの基地局装置は、基地局間ネットワーク（有線ネットワーク）によって接続されている。基地局間ネットワークは、Ｘ２インターフェースと呼ばれる通信インターフェースによる回線によって構成され、基地局装置間での情報交換に利用される。
【００３６】
図１に示すように、本実施形態では、基地局装置１が使用可能な周波数範囲は、複数（５つ）のコンポーネントキャリア（周波数ブロック）＃０〜＃４に分けられている。
マクロＢＳ１ａは、＃０及び＃２〜＃４の４つのコンポーネントキャリアを、マクロＢＳ１ａに接続した端末装置２との間の通信に使用する。つまり、マクロＢＳ１ａは、＃１のコンポーネントキャリアを、ブランクキャリアとし、信号の送信に使用しない。
【００３７】
マクロセルＭＣ内のピコＢＳ１ｂは、マクロＢＳ１ａにおけるブランクキャリアであるコンポーネントキャリア＃１を、ピコセルＰＣ内の端末装置（特に、ピコセルＰＣのセルエッジ付近の端末装置）との間の通信に使用する。これにより、ピコＢＳ１ｂに接続している端末装置（図示省略）が、ピコセルＰＣのセルエッジ付近など、マクロＢＳ１ａからの電波干渉を受け易い場所に位置していても、使用周波数が異なるため、マクロＢＳ１ａからの電波干渉を回避することができる。
【００３８】
ピコＢＳ１ｂは、基地局間ネットワーク又は無線通信を用いて、マクロＢＳ１ａのブランクキャリア＃１を識別可能な情報（以下、「ブランクキャリア情報」という）を、マクロＢＳ１ａから受信する。ピコＢＳ１ｂは、受信したマクロＢＳ１ａのブランクキャリア情報に基づいて、コンポーネントキャリア＃１を、自装置１ｂが端末装置との間の通信に使用するコンポーネントキャリア（プライマリーコンポーネントキャリア）として決定する。
【００３９】
なお、ピコＢＳ１ｂは、マクロＢＳ１ａのブランクキャリア情報を、当該ブランクキャリア情報を有している他の装置（マクロＢＳ１ａに接続している端末装置、又は基地局間ネットワーク上の管理サーバなど）から受信してもよい。
【００４０】
ブランクキャリア情報は、使用可能なコンポーネントキャリア＃０〜＃４のうち、ブランクキャリアとなっているコンポーネントキャリアを直接的に示すものであってもよいし、使用可能なコンポーネントキャリア＃０〜＃４のうち、通信に使用されるコンポーネントキャリアを示すことで、ブランクキャリアとなっているコンポーネントキャリアを間接的に示すものであってもよい。
【００４１】
図１において、端末装置２は、マクロＢＳ１ａに接続しているものとする。つまり、マクロＢＳ１ａは、端末装置２にとって、サービング基地局装置（第１の基地局装置）となっている。
端末装置（信号測定装置）２は、ハンドオーバの要否の判断等のため、サービング基地局装置以外の１又は複数の他の基地局装置（第２の基地局装置）から送信された信号の測定（通信品質の測定）を行う。
【００４２】
サービング基地局装置との間の通信品質と、他の基地局装置との間の通信品質とに基づき、端末装置２の接続先他の基地局装置接続の方に切り替えたほうが良いと判断された場合、ハンドオーバ処理が行われる。
【００４３】
例えば、図１に示すように、マクロＢＳ１ａに接続している端末装置（信号測定装置）２は、ピコＢＳ１ｂを測定対象の基地局装置（第２の基地局装置）とし、ピコＢＳ１ｂから送信された信号の測定を行う。
【００４４】
端末装置２がピコＢＳ１ｂから送信された信号の測定を行おうとしても、端末装置２にとって、ピコＢＳ１ｂが、どのコンポーネントキャリアを使用しているかは不明である。
したがって、端末装置２は、ピコＢＳ１ｂから送信された信号を測定する場合、例えば、ピコＢＳ１ｂが使用可能な周波数範囲全体（＃０〜＃４）を測定することが考えられる。しかし、この場合、端末装置２の負担が大きくなるおそれがある。例えば、各コンポーネントキャリア＃０〜＃４を一つずつ測定しようとすると、コンポーネントキャリア毎に、測定の対象周波数を切り替える必要があり、端末装置２の処理負荷が大きくなり、測定に要する時間も長くなる。
【００４５】
また、ピコＢＳ１ｂが使用可能な周波数範囲全体（＃０〜＃４）を一括して測定すると、マクロＢＳ１ａが通信に使用するコンポーネントキャリアについては、マクロＢＳ１ａからの干渉を受けるため、適切な測定が行えない。
つまり、ピコＢＳ１ｂが使用可能な周波数範囲全体（＃０〜＃４）の通信品質を一括して測定すると、マクロＢＳ１ａが使用しているコンポーネントキャリア＃０及び＃２〜＃４については、マクロＢＳ１ａからの干渉を受ける。したがって、コンポーネントキャリア＃１では、干渉が少なくても、周波数範囲全体（＃０〜＃４）でみると、品質が悪くなる。
【００４６】
このため、干渉のないコンポーネントキャリア＃１だけを測定すれば、ピコＢＳ１ｂから送信される信号の品質が良く、その結果、端末装置２はピコＢＳ１ｂにハンドオーバすべきという状況であっても、端末装置２は、周波数範囲全体（＃０〜＃４）でみると、品質が悪いため、ハンドオーバすることができない。
すると、端末装置２は、ピコＢＳ１ｂに接続しにくくなり、ピコＢＳ１ｂへ優先的に接続させるという方針に反することになる。
【００４７】
そこで、本実施形態の端末装置２は、マクロＢＳ（サービング基地局装置；第１の基地局装置）１ａのブランクキャリアを、ピコＢＳ１ｂ（第２の基地局装置）が通信に使用することになるという前提の下、マクロＢＳ１ａのブランクキャリアの周波数を、測定の対象周波数とする。
図１に示すように、マクロＢＳ１ａに接続している端末装置２は、マクロＢＳ１ａのブランクキャリアに対応するコンポーネントキャリア＃１を、測定の対象とすることで、マクロＢＳ１ａからの干渉のない状態で、ピコＢＳ１ｂの信号を測定することができる。
【００４８】
図２は、図１に示す通信システムにおいて、端末装置（信号測定装置）２による信号測定のために行われる処理手順を示している。
まず、マクロＢＳ１ａは、自装置１ａにおけるブランクキャリアとなる周波数を決定すると、そのブランクキャリアを識別するためのブランクキャリア情報を、マクロＢＳ１ａの近傍にあるピコＢＳ１ｂに送信する（ステップＳ１−１）。
【００４９】
ピコＢＳ１ｂは、ブランクキャリア情報を受信すると（ステップＳ２−１）、受信したブランクキャリア情報に基づいて、自装置１ｂにおいて使用するコンポーネントキャリア（プライマリーコンポーネントキャリア）＃１を決定する（ステップＳ２−２）。その後、ピコＢＳ１ｂは、プライマリーコンポーネントキャリア＃１を使用して、端末装置との間の通信を行う。
【００５０】
マクロＢＳ１ａは、ブランクキャリア情報を、自装置１ａに接続する端末装置２へも送信する（ステップＳ１−２）なお、ステップＳ１−１とステップＳ１−２とは、実行される順番が逆でもよい。
【００５１】
マクロＢＳ１ａから端末装置２へのブランクキャリア情報の送信は、例えば、ＲＲＣ  Ｃｏｎｎｅｃｔｉｏｎ  Ｒｅｃｏｎｆｉｇｒａｔｉｏｎなどの、端末装置２へ送信されるメッセージに含めて送信することができる。
【００５２】
端末装置２は、通信中のマクロＢＳ１ａから送信されたブランクキャリア情報を受信する（ステップＳ３−１）。そして、端末装置（信号測定装置）２は、受信したブランクキャリア情報に基づいて識別されたブランクキャリア＃１の周波数を対象周波数として、信号の測定を行う（ステップＳ３−２）。
つまり、端末装置２は、受信したブランクキャリア情報に基づいて識別されたブランクキャリア＃１が、他の基地局装置（ピコＢＳ１ｂ）において使用されているものとみなして、ブランクキャリア＃１の周波数に限定して測定する。
【００５３】
したがって、端末装置２は、他の基地局装置（ピコＢＳ１ｂ）において使用されているコンポーネントキャリアを示す情報を取得しなくても、他の基地局装置（ピコＢＳ１ｂ）において使用されているコンポーネントキャリア＃１を測定することができる。
また、端末装置２は、他の基地局装置（ピコＢＳ１ｂ）が使用する可能性のある周波数範囲全体（＃０〜＃４）を測定する必要がなく、特定の周波数（コンポーネントキャリア＃１）だけを測定すればよいため、測定負担が少ない。
【００５４】
しかも、端末装置２は、他の基地局装置（ピコＢＳ１ｂ）が使用しているが、サービング基地局装置（マクロＢＳ１ａ）が使用していない周波数を測定するため、マクロセルからの干渉を受けずに測定することができる。
【００５５】
端末装置２は、ブランクキャリア＃１の周波数における信号測定を完了すると、その測定結果を示すメジャメントレポートを生成し、マクロＢＳ１ａへ送信する（ステップＳ３−３）。マクロＢＳ１ａは、端末装置２から送信されたメジャメントレポートを受信する（ステップｓ１−３）。
【００５６】
通信システムは、マクロＢＳ１ａが受信したメジャメントレポートに基づき、端末装置２を、ピコＢＳ１ｂにハンドオーバさせる必要があると判断した場合、端末装置２を、サービング基地局装置（マクロＢＳ１ａ）から、ターゲット基地局装置（ピコＢＳ１ｂ）へハンドオーバさせる処理を行う。
【００５７】
ハンドオーバ処理によって、端末装置２にとって、ピコＢＳ１ｂがサービング基地局装置になると、ピコＢＳ１ｂは、ピコＢＳ１ｂのブランクキャリア＃０及び＃２〜＃４を識別可能な情報（ブランクキャリア情報）を、端末装置２へ送信する（ステップＳ２−３）。
ピコＢＳ１ｂから端末装置２へのブランクキャリア情報の送信も、ＲＲＣ  Ｃｏｎｎｅｃｔｉｏｎ  Ｒｅｃｏｎｆｉｇｒａｔｉｏｎなどの、端末装置２へ送信されるメッセージに含めて送信することができる。
【００５８】
端末装置２は、通信中のピコＢＳ１ｂから送信されたブランクキャリア情報を受信する（ステップＳ３−４）。そして、端末装置（信号測定装置）２は、図３に示すように、受信したブランクキャリア情報に基づいて識別されたブランクキャリア＃０及び＃２〜＃４の周波数を対象周波数として、信号の測定を行う（ステップＳ３−５）。
つまり、端末装置２は、受信したブランクキャリア情報に基づいて識別されたブランクキャリア＃０及び＃２〜＃４が、他の基地局装置（マクロＢＳ１ａ）において使用されているものとみなして、ブランクキャリア＃０及び＃２〜＃４の周波数において測定を行う。
【００５９】
なお、端末装置２は、ハンドオーバ前に、マクロＢＳ１ａのブランクキャリア＃１を示すブランクキャリア情報を取得している。そこで、端末装置２は、ハンドオーバ前のサービング基地局装置（マクロＢＳ１ａ）のブランクキャリア情報を、ハンドオーバ後においても用いて、ハンドオーバ前のサービング基地局装置（マクロＢＳ１ａ）のブランクキャリア情報が示すブランクキャリア＃１以外のコンポーネントキャリア＃０及び＃２〜＃４の測定を行うこともできる。この場合、端末装置２は、ピコＢＳ１ｂから、ブランクキャリア情報を取得することなく、コンポーネントキャリア＃０及び＃２〜＃４の測定を行うことができる。
【００６０】
端末装置２は、コンポーネントキャリア＃０及び＃２〜＃４の周波数における信号測定を完了すると、その測定結果を示すメジャメントレポートを生成し、ピコＢＳ１ｂへ送信する（ステップＳ３−６）。ピコＢＳ１ｂは、端末装置２から送信されたメジャメントレポートを受信することができる（ステップｓ２−４）。
【００６１】
［２．第２実施形態］
図４〜図６は、第２実施形態に係る通信システムを示している。第２実施形態に係る通信システムに関して、説明を省略する点については、第１実施形態と同様である。
【００６２】
図４においては、２つのマクロＢＳ１ａ，１ｂが形成する２つのマクロセルのセルエッジ付近にピコＢＳ１ｂ（第２の基地局装置）が配置されている。
端末装置２は、一方のマクロＢＳ１ａに接続しているものとする。マクロＢＳ１ａは、端末装置２にとって、サービング基地局装置（第１の基地局装置）となっている。
【００６３】
図４において、マクロＢＳ（ＭＳＢ１）１ａは、コンポーネントキャリア＃０〜＃４のうち、＃０をプライマリーコンポーネントキャリア(ＰＣＣ)として用い、＃２及び＃３をセカンダリーコンポーネントキャリア(ＳＣＣ)として用いるものとする。したがって、コンポーネントキャリア＃１及び＃４が、ブランクキャリアである。
また、マクロＢＳ(ＭＳＢ２)１ｃは、コンポーネントキャリア＃０〜＃４のうち、＃３をプライマリーコンポーネントキャリア(ＰＣＣ)として用い、＃０、＃１及び＃４をセカンダリーコンポーネントキャリア(ＳＣＣ)として用いるものとする。したがって、コンポーネントキャリア＃２がブランクキャリアである。
【００６４】
図５に示すように、複数のマクロＢＳ（ＭＳＢ１・・・ＭＳＢＮ）は、各マクロＢＳ１におけるブランクキャリア情報を、ピコＢＳ１ｂへ送信する（ステップＳ１１−１，Ｓ１２−２）。
ピコＢＳ１ｂは、各マクロＢＳ１におけるブランクキャリア情報を受信すると（ステップＳ１３−１）、自装置１ｂにおけるプライマリーコンポーネントキャリア（ＰＣＣ）を決定する（ステップＳ１３−２）。また、ピコＢＳ１ｂは、自装置１ｂにおけるセカンダリーコンポーネントキャリア（ＳＣＣ）も決定する（ステップＳ１３−３）。
【００６５】
図４においては、ピコＢＳ１ｂは、＃２をプライマリーコンポーネントキャリア（ＰＣＣ）に設定し、＃１をセカンダリーコンポーネントキャリア（ＳＣＣ）に設定しているものとする。
【００６６】
端末装置（信号測定装置）２は、ハンドオーバの要否の判断等のため、１又は複数の他の基地局装置（第２の基地局装置）から送信された信号の測定（通信品質の測定）を行う。端末装置２は、他の基地局装置が使用可能な周波数＃０〜＃４のうち、プライマリーコンポーネントとして用いる周波数における信号を測定するように設定されている（端末装置２の初期設定）。
【００６７】
各基地局装置１ａ，１ｂ，１ｃのプライマリーコンポーネントキャリアを示す情報は、各基地局装置１ａ，１ｂ，１ｃから基地局間ネットワークへ送信され、基地局間ネットワークにおける管理サーバによって取得される。当該管理サーバは、各基地局装置１ａ，１ｂ，１ｃに対し、複数の基地局装置（近傍の基地局装置）のプライマリーコンポーネントキャリアを示す情報を通知する。
基地局装置１ａ，１ｂ，１ｃは、基地局装置のプライマリーコンポーネントキャリアを示す情報を、管理サーバから取得すると、当該情報を、ネイバーセルリストとして、端末装置２へ送信する。
【００６８】
基地局装置１ａ，１ｂ，１ｃは、定期的に、及び、必要に応じて、ネイバーセルリストを端末装置２へ送信する。したがって、端末装置２は、最新のネイバーセルリストを常時有することができる。
【００６９】
図７（ａ）に示すように、ネイバーセルリストは、各コンポーネントキャリア＃０〜＃４を、プライマリーコンポーネントキャリアとして使用する基地局装置（近傍の基地局装置）を示すように構成されている。
つまり、図７（ａ）のネイバーセルリストは、コンポーネントキャリア＃０はマクロＢＳ（ＭＢＳ１）１ａによってプライマリーコンポーネントキャリアとして使用され、コンポーネントキャリア＃２はピコＢＳ１ｂによってプライマリーコンポーネントキャリアとして使用され、コンポーネントキャリア＃３はマクロＢＳ（ＭＢＳ２）１ｂによってプライマリーコンポーネントキャリアとして使用されている（図４も参照）。
【００７０】
コンポーネントキャリア＃１及び＃４は、プライマリーコンポーネントキャリアとしては、マクロＢＳ１ａの近傍にある基地局装置のいずれにおいても使用されていない。
ネイバーセルリストは、セカンダリーコンポーネントキャリアについての情報を含まない。つまり、コンポーネントキャリア＃１及び＃４が、セカンダリーコンポーネントキャリアとして、いずれかの基地局装置１ａ，１ｂ，１ｃによって使用されていても、そのことを示す情報は、ネイバーセルリストに含まれない。
【００７１】
端末装置２は、ネイバーセルリストを受信すると、各基地局装置１ａ，１ｂ，１ｃが、どのコンポーネントキャリアを、プライマリーコンポーネントキャリアとして使用しているかを識別することができる。
端末装置２は、ネイバーセルリストに基づき、他の基地局装置１ｂ，１ｃがプライマリーコンポーネントキャリアとして設定しているコンポーネントキャリアの信号を測定する。例えば、コンポーネントキャリア＃２については、ピコＢＳ１ｂから送信された信号を測定対象信号として、測定が行われる。
【００７２】
第２実施形態では、他の基地局装置１ｂ，１ｃが主として使用するプライマリーコンポーネントキャリアを測定するが、他の基地局装置１ｂ，１ｃのプライマリーコンポーネントキャリアは、サービング基地局装置（マクロＢＳ１ａ）において通信に使用されている可能性がある。
例えば、図４では、ピコＢＳ１ｂのプライマリーコンポーネントキャリア＃２は、サービング基地局装置であるマクロＢＳ１ａにおいてセカンダリーコンポーネントキャリアとして使用されている。このため、端末装置２は、ピコＢＳ１ｂのプライマリーコンポーネントキャリア＃２に対応する周波数の信号を測定しようとすると、マクロセルから電波干渉を受けてしまう。
【００７３】
しかし、図４に示すように、ピコＢＳ１ｂは、コンポーネントキャリア＃１もセカンダリーコンポーネントキャリアとして通信に使用する状態にあり、このコンポーネントキャリア＃１は、マクロＢＳ１ａにおいてブランクキャリアである。
したがって、ピコＢＳ１ｂのプライマリーコンポーネントキャリア＃２が、マクロセルからの電波干渉を受ける場合であっても、コンポーネントキャリア＃１であれば、端末装置２は電波干渉を受けない。
したがって、端末装置２は、上記の状況下では、初期設定とおり、ピコＢＳ１ｂのプライマリーコンポーネントキャリア＃２の信号を測定するのではなく、マクロＢＳ１ａのブランクキャリアであるコンポーネントキャリア＃１の信号を測定することが望まれる。
【００７４】
図５のＳ１３−４以降の処理は、上記の状況に対応するための処理である。
まず、プライマリーコンポーネントキャリア及びセカンダリーコンポーネントキャリアを決定したピコＢＳ１ｂは、決定したライマリーコンポーネントキャリア及びセカンダリーコンポーネントキャリアを示す情報（ＰＣＣ位置情報及びＳＣＣ位置情報）を、他の各基地局装置１ａ，１ｃに通知する（ステップＳ１３−４）。
【００７５】
マクロＢＳ１ａは、ピコＢＳ１ｂのプライマリーコンポーネントキャリア及びセカンダリーコンポーネントキャリアを示す情報（ＰＣＣ位置情報及びＳＣＣ位置情報）を取得する（ステップステップＳ１１−２）。
マクロＢＳ１ａは、受信したＰＣＣ位置情報が示すプライマリーコンポーネントキャリア＃２の周波数（初期設定に従った対象周波数）と、自装置１ａのブランクキャリア＃１及び＃４の周波数とが、一致するか（重複するか）否かを判定する（ステップＳ１１−３）。
【００７６】
仮に、受信したＰＣＣ位置情報が示すプライマリーコンポーネントキャリアの周波数（端末装置２が、初期設定に従って、信号を測定する対象周波数）と、自装置１ａのブランクキャリアの周波数とが、一致している場合、端末装置２は、マクロセルからの干渉を受けない状態で、ピコＢＳ１ｂの信号を測定することになる。したがって、マクロＢＳ１ａとしては、それ以降、特段の処理をする必要がない。つまり、端末装置２は、初期設定とおり、ピコＢＳ１ｂのプライマリーコンポーネントキャリアの信号を測定すれば、マクロＢＳ１ａのブランクキャリアにおいて信号を測定していることになる。
【００７７】
一方、受信したＰＣＣ位置情報が示すプライマリーコンポーネントキャリア＃２の周波数（初期設定に従った対象周波数）と、自装置１ａのブランクキャリア＃１及び＃４の周波数とが、一致していない（重複していない）と判定された場合、マクロＢＳ１ａは、ピコＢＳ１ｂに対し、プライマリーコンポーネントキャリアの変更要求を送信する処理（状態変更処理）を実行する（ステップＳ１１−４）。当該変更要求には、マクロＢＳ１ａが希望する変更先（例えばコンポーネントキャリア＃１及び＃４）を含めるのが好ましいが、含めなくても良い。
【００７８】
ピコＢＳ１ｂは、変更要求を受信すると（ステップＳ１３−５）、プライマリーコンポーネントキャリアの変更の可否を判定する（ステップＳ１３−６）。ピコＢＳ１ｂは、マクロＢＳ１ａが希望する変更先、及び／又は、他の基地局装置１ｃにおけるプライマリーコンポーネントキャリアの設定状況などを考慮して、変更の可否を判定する。
【００７９】
ピコＢＳ１ｂは、プライマリーコンポーネントキャリアの変更が可能であると判定された場合、ピコＢＳ１ｂは、マクロＢＳ１ａが希望する変更先、又は、他の適当な変更先を決定する（ステップＳ１３−７）。ピコＢＳ１ｂは、決定した変更先を含む変更応答を、マクロＢＳ１ａに送信する（ステップＳ１３−８）。
【００８０】
例えば、図４に示すように、変更後においては、プライマリーコンポーネントキャリア（ＰＣＣ）は、＃１に設定されている。なお、セカンダリーコンポーネントキャリア（ＳＣＣ）も変更され、＃２に設定されている。
【００８１】
ピコＢＳ１ｂが送信する変更応答には、ピコＢＳ１ｂが決定した変更先（＃１）を示す情報を含めても良い。この場合、マクロＢＳ１ａは、変更先（＃１）を、直ちに、端末装置２に通知することができる。なお、ピコＢＳ１ｂが送信する変更応答に、ピコＢＳ１ｂが決定した変更先（＃１）を含めなくても、管理サーバ経由で、ピコＢＳ１ｂのプライマリーコンポーネントキャリア＃１の位置は、マクロＢＳ１ａに通知される。図７（ｂ）は、変更後のネイバーセルリストを示している。図７（ｂ）のネイバーセルリストは、ピコＢＳ１ｂが、コンポーネントキャリア＃１をプライマリーコンポーネントキャリアとして使用することを示している。
【００８２】
ピコＢＳ１ｂのプライマリーコンポーネントキャリアが＃１に変更されると端末装置２は、初期設定とおり、ピコＢＳ１ｂのプライマリーコンポーネントキャリア＃１の信号を測定すれば、マクロＢＳ１ａのブランクキャリア＃１において信号を測定していることになる。
【００８３】
このように、ピコＢＳ１ｂのプライマリーコンポーネントキャリア＃２が、マクロＢＳ１ａのブランクキャリア＃１，＃４と一致していなくても、ピコＢＳ１ｂがプライマリーコンポーネントキャリアを＃１に変更する処理を実行することで、ピコＢＳ１ｂのプライマリーコンポーネントキャリア＃１（測定の対象周波数）が、マクロＢＳ１ａのブランクキャリア＃１，＃４と重複する状態が得られる。
【００８４】
ステップＳ１３−６において、ピコＢ１ｂは、プライマリーコンポーネントキャリアの変更を不可と判定することもある。例えば、マクロＢＳ１ａが希望する変更先を、マクロＢＳ１ｃなどの他の基地局装置（第３の基地局装置）が（プライマリーコンポーネントキャリアとして）既に使用している場合など、適切な変更先が無い場合には、変更不可と判定される。
【００８５】
変更不可となった場合、図６に示すように、ピコＢＳ１ｂは、変更不可通知を、マクロＢＳ１ａに送信する（ステップＳ１３−９）。
マクロＢＳ１ａは、変更不可通知を受信すると（ステップＳ１１−５）、端末装置２に対し、信号測定の対象周波数を変更させる指令を送信する処理（状態変更処理）を実行する（ステップＳ１１−６）。当該指令は、信号を測定する対象である基地局装置（ピコＢＳ１ｂ）の１又は複数のセカンダリーコンポーネントキャリアを端末装置２に測定させるためのものである。
当該指令には、ピコＢＳ１ｂの１又は複数のセカンダリーコンポーネントキャリア＃１を示す情報も含まれる。
【００８６】
端末装置２は、当該指令を受信すると（ステップＳ１４−１）、プライマリーコンポーネントキャリア＃２の信号を測定するという端末装置２における初期設定にかかわらず、ピコＢＳ１ｂのセカンダリーコンポーネントキャリア＃１の信号を測定する（ステップＳ１４−２）。
【００８７】
プライマリーコンポーネントキャリア＃２がマクロセルから干渉を受ける状況であっても、セカンダリーコンポーネントキャリアは、マクロセルから干渉を受けない可能性もあるため、セカンダリーコンポーネントキャリアの信号を測定することで、干渉を回避しつつ測定を行える可能性が生まれる。
【００８８】
図４では、ピコＢＳ１ｂのセカンダリーコンポーネントキャリアは、＃１であり、マクロＢＳ１ａのブランクキャリア＃１と一致している。したがって、端末装置２は、セカンダリーコンポーネントキャリア＃１を測定することで、マクロＢＳ１ａのブランクキャリア＃１において信号を測定していることになる。
【００８９】
このように、ピコＢＳ１ｂのプライマリーコンポーネントキャリア＃２が、マクロＢＳ１ａのブランクキャリア＃１と一致していなくても、端末装置２が、測定の対象周波数を、ピコＢＳ１ｂがセカンダリーコンポーネントキャリア＃１の周波数に変更することで、測定の対象周波数＃１が、マクロＢＳ１ａのブランクキャリア＃１と重複する状態が得られる。
【００９０】
ピコＢＳ１ｂのセカンダリーコンポーネントキャリアが複数存在する場合、端末装置２は、それぞれのセカンダリーコンポーネントキャリアを、一つずつ測定する。その際、端末装置２は、複数のセカンダリーコンポーネントキャリアのうち、マクロＢＳ１ａにおけるブランクキャリアとなっているコンポーネントキャリアを優先して、先に測定を行う。例えば、ピコＢＳ１ｂのセカンダリーコンポーネントキャリアが、＃０，＃１の２つであれば、マクロＢＳ１ａのブランクキャリアである＃１を先に測定し、その後、＃０の測定を行う。
【００９１】
マクロＢＳ１ａにおけるブランクキャリアを優先して測定することで、先に測定し終えたコンポーネントキャリア＃１のメジャメントレポートを、コンポーネントキャリア＃０の測定完了前に、マクロＢＳ１ａに対して送信することができる（ステップＳ１４−３）。したがって、マクロＢＳ１ａは、干渉の回避されたコンポーネントキャリア＃１のメジャメントレポートを、早い時点で得られる。干渉の回避されたコンポーネントキャリア＃１のメジャメントレポートを、早い時点で得ることで、端末装置２を、早い時点で、ピコＢ１ｂにハンドオーバさせることが可能となる。
【００９２】
図８は、図５に示す処理に後続する処理（図６）の変形例を示している（図８に示す処理も図５に示す処理に後続する）。
図５のステップＳ１３−６において、ピコＢ１ｂが、プライマリーコンポーネントキャリアの変更を不可と判定すると、図８に示す処理においても、ピコＢＳ１ｂは、変更不可通知を、マクロＢＳ１ａに送信する（ステップＳ１３−９）。
【００９３】
マクロＢＳ１ａは、変更不可通知を受信すると（ステップＳ１１−５）、自装置１ａのブランクキャリアの周波数位置を、ピコＢＳ１ｂのプライマリーコンポーネントキャリア＃２に変更する処理（状態変更処理）を実行する（ステップＳ１１−８）。
【００９４】
マクロＢＳ１ａのブランクキャリアが、ピコＢＳ１ｂのプライマリーコンポーネントキャリア＃２の周波数位置に変更されると、端末装置２は、初期設定とおり、ピコＢＳ１ｂのプライマリーコンポーネントキャリア＃２の信号を測定すれば（ステップＳ１４−４）、マクロＢＳ１ａのブランクキャリア＃２において信号を測定していることになる。
【００９５】
端末装置２は、ピコＢＳ１ｂのプライマリーコンポーネントキャリア＃２の測定結果であるメジャメントレポートをマクロＢＳ１ａに送信し（ステップＳ１４−５）、マクロＢＳ１ａはそのメジャメントレポートを受信する（ステップＳ１１−９）。
【００９６】
このように、ピコＢＳ１ｂのプライマリーコンポーネントキャリア＃２が、マクロＢＳ１ａのブランクキャリア＃１，＃４と一致していなくても、マクロＢＳ１ａがブランクキャリアを＃２に変更する処理を実行することで、ピコＢＳ１ｂのプライマリーコンポーネントキャリア＃２（測定の対象周波数）が、マクロＢＳ１ａのブランクキャリア＃２と重複する状態が得られる。
【００９７】
以上のように、第１実施形態では、端末装置は、サービング基地局装置におけるブランクキャリアにおいて信号を測定することで、サービング基地局装置からの干渉を回避しつつ、他の基地局装置からの信号の測定を行える。
また、第２実施形態では、端末装置が、基地局装置のプライマリーコンポーネントキャリアを測定するように構成されていても、状態変更処理によって、測定の対象周波数が、サービング基地局装置におけるブランクキャリアの周波数と重複するようになるため、サービング基地局装置からの干渉を回避しつつ、他の基地局装置からの信号の測定を行える。
このように、第１及び第２実施形態では、いずれも、ブランクキャリアを考慮した信号測定が行われる。
【００９８】
本発明に関して、今回開示された実施の形態はすべての点で例示であって制限的なものではないと考えられるべきである。本発明の範囲は、上記した意味ではなく、特許請求の範囲と均等の意味及び範囲内でのすべての変更が含まれることが意図される。
例えば、実施形態におけるマクロＢＳ及びピコＢＳは、ピコＢＳ及びピコＢＳよりも小さいセルを形成するフェムトＢＳであってもよい。
【符号の説明】
【００９９】
１  基地局装置
１ａ  マクロ基地局装置
１ｂ  ピコ基地局装置
１ｃ  マクロ基地局装置
２  端末装置
【図１】
0005924438.tif 000002
【図２】
0005924438.tif 000003
【図３】
0005924438.tif 000004
【図４】
0005924438.tif 000005
【図５】
0005924438.tif 000006
【図６】
0005924438.tif 000007
【図７】
0005924438.tif 000008
【図８】
0005924438.tif 000009